(57)【要約】【課題】  ゴム紐を捩じって回転体を回転させる玩具において、玩具の大きさ・長さに大きく制約されずに、ゴム紐の捩じり回数を増加させ、玩具の回転体の回転数を増加させ作動時間を長くすることを課題とする。【解決手段】  複数のゴム紐１，２を設け、接続方向で隣り合うゴム紐１，２相互を端部の回転接続構造で繋げることにより、複数のゴム紐１，２の捩じり回数を合わせた総回数で回転体６を回転させ、玩具の回転体６の作動時間を長くする。【選択図】  図１
2017064001.tif 000002
【特許請求の範囲】
【請求項１】
回転体を回転駆動する回転駆動装置であって、一端部に捩じり用回転ハンドルが設けられた第１ゴム紐と、一端部が前記第１ゴム紐の他端部と接続構造を介して連結され、他端部が、前記回転体に接続された第２ゴム紐と、を備え、前記接続構造は前記第１ゴム紐の前記他端部から前記第２ゴム紐の前記一端部に回転力が伝達されるように構成されていて、前記第１ゴム紐は前記第２ゴム紐よりも太く設定されている事を特徴とする回転駆動装置。
【請求項２】
前記第1ゴム紐と前記第2ゴム紐とは長さが異なっている、ことを特徴とする請求項１記載の回転駆動装置。
【請求項３】
前記第１ゴム紐と前記第２ゴム紐とは直角等の角度をもって配置され、前記接続構造は前記第１ゴム紐の前記他端部と前記第２ゴム紐の前記一端部とを連結するベルト車構造である、ことを特徴とする請求項１又は２記載の回転駆動装置
【請求項４】
前記接続構造は、前記第１ゴム紐の前記他端部と接続されるフックを有する回転伝導部材である第１プ−リと、前記第２ゴム紐の前記一端部と接続されるフックを有する第２プ−リと、この第１プ−リ及び第２プ−リに掛け渡された伝達紐であるベルトを有し、すべり防止のため、ベルトとして細い紐を個々に複数本掛け、かつ、第１プ−リ及び第２プ−リの外周面にサンドペーパの貼付等による粗面加工を施す、ことを特徴とする請求項１、２又は３記載の回転駆動装置。
【請求項５】
回転体を回転駆動する回転駆動装置であって、一端部に捩じり用回転ハンドルが設けられた入力側の第１ゴム紐と、他端部が前記回転体に接続された出力側の第２ゴム紐と、前記第１ゴム紐の他端部と前記第２ゴム紐の一端部との間に接続構造を介して直列に接続された１本又は複数の中間ゴム紐と、を備え、前記接続構造は前記第１ゴム紐の前記他端部から前記中間ゴム紐を介して前記第２ゴム紐の前記一端部に回転力が伝達されるように構成されていて、前記第１ゴム紐、前記中間ゴム紐及び前記第２ゴム紐の太さは、出力側から入力側に向かって漸次大きくなることを特徴とする回転駆動装置。
【請求項６】
前記第１ゴム紐、前記中間ゴム紐及び前記第２ゴム紐の少なくても1本は他のゴム紐と長さが異なることを特徴とする請求項５記載の回転駆動装置。
【請求項７】
接続方向で隣り合っている1対の前記ゴム紐のうち、直角等の角度をもって配置されたものを含み、この直角等の角度をもって配置された１対のゴム紐同士はベルト車構造で接続されている、ことを特徴とする請求項５又は６記載の回転駆動装置。
【請求項８】
前記接続構造は、前記第１ゴム紐の前記他端部と接続されるフックを有する第１プ−リと、１本又は複数本の前記中間ゴム紐の端部と接続されるフックを有す中間プ−リと、前記第２ゴム紐の前記一端部と接続されるフックを有する第２プ−リと、この第１プ−リ、中間プ−リ及び第２プ−リの接続方向で隣り合うプ−リ相互に掛け渡されたベルトと、を有し、第１プ−リ、中間プ−リ及び第２プ−リの外周面には前記ベルトの滑りを防止するためサンドペーパの貼付等の粗面加工が施され、ベルトとして細い紐を個々に複数本掛けることを特徴とする請求項４、５、６又は７記載の回転駆動装置。
【発明の詳細な説明】
【技術分野】
【０００１】
本発明はゴム紐の捩じりを動力源とする、例えば自動車、風車、観覧車等の模型や玩具に利用される。
【背景技術】
【０００２】
従来、ゴム紐を捩じって回転体を回転させる玩具、例えば自動車等において走行する作動時間が短いという不満があった（例えば、特許文献１参照）。作動時間を長くするためには、ゴム紐の捩じり回数を増やし、回転体の回転数を増やすことが要求される。
【０００３】
ゴム紐を切断せずに捩じることができる捩じり回数は、ゴム紐の太さが細いほど、長さが長いほど多くなる。ところが、太さについては、玩具の回転体を回転させることができる太さに決定されるから、捩じり回数を増やすにはゴム紐を長くする必要がある。しかし、使用するゴム紐の長さは、玩具のデザイン上などから、玩具の大きさ・長さ以上にすることは普通できない。このように、ゴム紐の捩じり回数は玩具の大きさ・長さでほぼ決まり、それ以上に増加させることができないため、従来、ゴム紐の捩じりを動力源とする玩具は、作動時間が短いという大きな問題があった。
【先行技術文献】
【特許文献】
【０００４】
【特許文献１】特開２０１０−２５３２４１号
【発明の概要】
【発明が解決しようとする課題】
【０００５】
従来、ゴム紐の捩じりによって回転体を回転させる玩具においては、その作動時間が玩具の大きさ・長さによりほぼ決定されて、作動時間が短いという問題があった。またゴムを動力として利用するのは、簡単に利用できかつ安価であるという理由が大きいが、それらを満たす技術が不十分であったという問題があった。
【０００６】
本発明は、上記のような問題に対し、簡単かつ安価な方法で、玩具の回転作動時間を長くする方法を提供することを課題とする。
【課題を解決するための手段】
【０００７】
上記課題を解決するための方法・手段について説明する。ゴム紐の捩じりによって回転体を回転させる場合、従来は、回転体と回転ハンドルの間に１本のゴム紐を掛けて、この１本のゴム紐を捩じって回転体を回転させていた。従って回転できる回転数は、１本のゴム紐の捩じり回数に限定されていた。本発明はゴム紐を複数、例えば直列に設け、複数のゴム紐を捩じり、それらの捩じり回数を合わせた総回数で回転体を回転させるようにしたものである。その結果、従来の１本に比較し、ゴム紐の長さを増やすことなしに玩具の回転数を大幅に増加させた。
【０００８】
図１はゴム紐が２本の場合の概念図である。第１ゴム紐１は、一端部が回転ハンドル３のフックに、他端部が第１プ−リ４のフックに、掛けられている。第２ゴム紐２は、一端部が第２プ−リ５のフックに、他端部が回転体６のフックに、掛けられている。プ−リ４，プ−リ５、回転ハンドル３及び回転体６の軸は軸受材７に支持され、軸受材７との摩擦の減少を図るため、上記軸には球座８が挿入・固定されている。第１プ−リ４と第２プ−リ５をベルト９で繋げることによって、第１ゴム紐１と第２ゴム紐２が直列に接続され、回転体６は２本分のゴム紐の捩じりによる回転が可能となる。
【０００９】
図２はゴム紐が３本の場合の概念図である。第１ゴム紐１と第２ゴム紐２の接続方向の間に、１本の中間ゴム紐１０を配置する。中間ゴム紐１０は、その両端部がプ−リ１１とプ−リ１２のフックに掛けられ、プ−リ１１と１２の軸は各々軸受材７で支持され、フックと反対側の軸には球座８が挿入・固定されている。第１ゴム紐１の他端部のプ−リ４と中間ゴム紐１０の一端部のプ−リ１１をベルト１３で繋げ、第２ゴム紐２の一端部のプ−リ５と中間ゴム紐の他端部のプ−リ１２をベルト１４で繋げることにより、第１ゴム紐１から中間ゴム紐１０を介して第２ゴム紐２までが直列に接続され、回転体６は３本分のゴム紐の捩じりによる回転が可能となる。
【００１０】
ゴム紐が３本より多い場合も、中間ゴム紐を増やし、接続方向に隣接する中間ゴム紐相互のプ−リを繋げることにより、第１ゴム紐から第２ゴム紐までが直列に接続され、回転体はゴム紐の本数に相当する捩じりによる回転が得られる。
【００１１】
ここで、ゴム紐を平行に配置する場合には、ベルトで接続する２つのプ−リの端部を揃えることが必要である。又、接続方向に隣接するゴム紐を、直角等の角度をもって配置する場合には、接続する２個のプ−リは、中心を揃え、高低差を付けることが必要である。上記複数のゴム紐は、各々固有の長さと太さを有し、長さについては玩具のデザインや形状、構造等から決定される。太さについては、プ−リの接続構造等における摩擦の影響を補正するために、回転体の出力側から回転ハンドル側の入力側に向かって漸次太くしている。また、ベルトとプ−リ間の滑りを防ぐため、プ−リの表面にはサンドペーパの貼付等による粗面加工がされ、ベルトについては、プ−リの製作誤差や配置上の誤差等を吸収出来るように、太い１本の紐や帯でなく、細い紐を個々に複数本掛けてベルトとしている。
【００１２】
ゴム紐を捩じり始めると、最初はわずかに膨らむ１次瘤ができる。さらに捩じると１次瘤の上に２次瘤ができ、その上に３次瘤ができ、捩じり続けると切断にいたる。通常玩具ではゴム紐の切断を回避するため、全長に渡る2次瘤の発生前後で捩じることをやめている。
【００１３】
回転体を止めておき、回転ハンドルを回転させると第１ゴム紐が捩じられ、ほぼ同時に他端部の第１プ−リの回転が始まり、ベルトを介して次のプ−リに回転が伝わり、前にある中間ゴム紐が捩じられる。さらに回転ハンドルを回転させると前記第１ゴム紐と前記前にある中間ゴム紐が捩じられるとともに、前記前にある中間ゴム紐の他端部のプ−リを介して、さらに前にあるゴム紐が捩じられる。このように回転ハンドルの回転を続けることによって、第１ゴム紐から複数の中間ゴム紐を含め第２ゴム紐までの全部のゴム紐が捩じられる。
【００１４】
各ゴム紐が、全長に渡る2次瘤の発生前後まで捩じられた後、回転体の止めを外すと第２ゴム紐の捩じりが戻り回転体が回転する。第２ゴム紐の捩じりが少なくなると第２ゴム紐の後ろにある中間ゴム紐の捩じりが戻り、それにより第２ゴム紐が新たに捩じられる。前記後ろにある中間ゴム紐の捩じりが少なくなると、接続方向のさらに後ろにある中間ゴム紐の捩じりが戻り、前記後ろの中間ゴム紐が新たに捩じられる。このような繰り返しにより、第２ゴム紐から複数の中間ゴム紐を含め第１ゴム紐までの全部のゴム紐の捩じりが戻される。プ−リ相互の連結時の摩擦が少ない場合には、回転体は複数のゴム紐の捩じり回数を合わせた回転をし、ゴム紐が１本の場合に比べ、作動時間が長くなり、従来のゴム紐による玩具の作動時間が短いという問題が解決される。
【００１５】
上記複数のゴム紐の各々の太さは、プ−リ間に生じる摩擦を考慮して決定する。上記第２ゴム紐は回転体を回転させることができる太さが必要である。第２ゴム紐の太さが決まれば中間ゴム紐及び第１ゴム紐の太さは基本的には摩擦分を補充すればよい。即ち、第２ゴム紐の後ろの中間ゴム紐は所定の捩じり数で、緩んだ状態の第２ゴム紐を所定数まで捩じることができる太さが必要となり、第２ゴム紐より太くなる。同様に、第１ゴム紐の太さは、所定捩じり数で前にある中間ゴム紐を所定捩じり数まで捩じることができる太さが必要で、前にある中間ゴム紐より太くなる。この結果、ゴム紐の太さは、回転体から回転ハンドル側に向かって漸次太くなる。
【００１６】
請求項２及び６には、ゴム紐の長さが異なる場合が記載され、この場合、事前にゴム紐の太さを決めることは極めて難しいが、上述のような方法でプ−リを配置してから各ゴム紐の太さを決定できる。このように玩具の形状や事後の調査等からゴム紐の長さ、太さを容易に決めることができることも本発明の特徴であり、ゴム紐として市販の輪ゴムを利用すると、長さは複数の輪ゴムを繋げることで、太さは上述の方法で前記輪ゴムの本数を増減することで、決定できるから対応は容易である。
【００１７】
本発明は具体的には、玩具の目標である回転体を回転させるために、主としてプ−リの軸を受ける軸受材、プ−リ、ゴム紐、ベルト、プ−リと軸受材の摩擦を減少させるための球座、回転ハンドルからなっており、いずれも玩具におけるゴム動力を選択する必要条件である簡単で安価であることを満たしている。もしこれらの部材が複雑、高価であれば他の動力、伝導モーター等に代わられ、ゴム紐は玩具では使用されない。
【発明の効果】
【００１８】
以上のように、ゴム紐の捩じりを動力源とする玩具における回転体の作動時間が短いという大きな問題を、玩具の大きさ・長さに制約されるゴム紐を長くせずに、回転体の回転数を増加させることにより解決した。又玩具の動力として、ゴムが選択されるのは、仕組みが簡単でかつ安価であることがその大きな理由であり、本発明はこの条件を満たしている。
【図面の簡単な説明】
【００１９】
【図１】ゴム紐が２本の場合の概念図
【図２】ゴム紐が３本の場合の概念図
【図３】走行車両の玩具の平面図
【図４】走行車両の玩具の側面図
【図５】走行車両の玩具の後輪位置の断面図
【図６】時計方向回転時及び反時計方向回転時の回転ハンドルの説明図
【図７】観覧車玩具の平面図
【図８】観覧車玩具の正面図
【図９】観覧車玩具における観覧車と回転体部分の側面図
【発明を実施するための形態】
【００２０】
以下、図面を参照して本発明の実施の形態を説明する。
【００２１】
（実施例１）  長さの異なる２本のゴム紐を駆動源とした走行車両の玩具について、図３に平面を、図４に側面をそして図５に後輪部の断面を示す。
【００２２】
長方形の枠状の本体枠２１を第１仕切り材２２ａと第２仕切り材２２ｂで仕切り、第１区画Ａ、第２区画Ｂ及び第３区画Ｃを構成する。軸受材２３は本体枠２１の左右の一方側で本体枠２１の後側から第１仕切り材２２ａを通過して第２仕切り材２２ｂに至り、軸受材２４は本体枠２１の左右の他方側で本体枠２１の後側から第１仕切り材２２ａに至る。
【００２３】
第１区画Ａの第１プ−リ２８ａの軸は本体枠２１の左右の一方側の枠部と軸受材２３に支持され、後輪２５は空輪で第１プ−リ２８ａの軸に支持されてはいるが軸とは接着されず、第１プ−リ２８ａの軸に対して回転自在である。後輪２６は本発明が対象とする回転体で、その軸は本体枠２１の左右の他方側の枠部と軸受材２４に支持され、走行面に対して空転しないように外周面にはサンドペーパが貼付されている。
【００２４】
第２区画Ｂの第２プ−リ２８ｂの軸は本体枠２１の左右の一方側の枠部と軸受材２３に支持され、回転ハンドル３２はクランク状をなし、本体枠２１の左右の他方側の枠部に回転可能に支持されている。回転ハンドル３２には逆転防止具が付いている。上記逆転防止具は、図６ａと図６ｂに示すように、一端部が本体枠２１の上記他方側の枠部にヒンジ固定され、鉛の小片を付けた他端部が回転ハンドル３２のクランク部に接触出来る長さを有す細板３３と、本体枠２１の他方側の枠部に設けられ、上記細板３３が下方に落ちないように設けられた逆転防止突起３４との構造により、回転ハンドル３２はゴム紐を捩じる時計方向への回転は、図６aに示すように、細板３３の持ち上げを繰り返しながら自由で、ゴム紐の捩じりを戻す反時計方向への回転は、図６ｂに示すように、細板３３が逆転防止突起３４によって阻止されるため不可能になっている。
【００２５】
第３区画Ｃの前輪２７は空輪で、走行車両が旋回運動するように、軸は本体枠２１の左右の枠部に角度をもって支持されているが、軸とは接着されず、軸に対して回転自在である。
【００２６】
第１プ−リ２８ａと第２プ−リ２８ｂは、厚紙で作った円形環状体の両側に環状体の外周面より一回り大きい円形の厚紙を貼り付け、プ−リを真直ぐ支えられる剛性を有す針金が軸として使用され、プ−リの中心を貫通しプ−リと接着されている。ベルトとの滑り防止のため、その外周面にはサンドペーパが貼付されている。上記プ−リ２８ａと２８ｂを繋げるベルト２９は、プ−リの製作誤差や配置上の誤差等を吸収出来るように、太い１本の紐や帯でなく、細いタコ糸を個々に複数本掛けてベルトとしている。
【００２７】
第１区画Ａの第１ゴム紐３０ａは一端部が第１プ−リ２８ａのフックに、他端部が後輪２６のフックに掛けられている。第２区画Ｂの第２ゴム紐３０ｂは一端部が回転ハンドル３２のフックに、他端部が第２プ−リ２８ｂのフックに掛けられている。第１ゴム紐３０ａと第２ゴム紐３０ｂは長さも太さも異なり、第１ゴム紐３０ａは市販のサイズナンバー１８の輪ゴムを４本まとめたもので、第２ゴム紐３０ｂはサイズナンバー１８の輪ゴムを２本繋げそれを８本まとめたものである。すなわち、第２ゴム紐３０ｂは第１ゴム紐３０ａよりも長く太い。第１プ−リ２８ａ、第２プ−リ２８ｂ、後輪２６及び回転ハンドル３２の軸には本体枠２１との摩擦の減少をはかるため球座３１が挿入・固定されている。
【００２８】
車両を押さえ、動輪である後輪２６を止めておき、手動でハンドル３２を時計方向に回し、第１ゴム紐３０ａ及び第２ゴム紐３０ｂに対し、全長に渡る２次瘤の発生まで捩じってから回転を止める。回転を止めたハンドル３２は上記逆転防止具により手を離しても停止状態におかれる。  
【００２９】
車両を離すと、第１ゴム紐３０ａのゴムの捩じりが戻り後輪２６が回転し車両が前進する。第１ゴム紐３０ａのゴムが緩むと、第２ゴム紐３０ｂの捩じりが戻り、第２プ−リ２８ｂを回しベルト２９により第１プ−リ２８ａを介して、第１ゴム紐３０ａは再度捩じられる。この繰り返しを経て、第１ゴム紐３０ａと第２ゴム紐３０ｂの捩じりが終わるまで車両は走行を続ける。本実施例の場合、直径１．７ｍの旋回運動を約６回した。総走行距離は約３２ｍに達し、ゴム紐の捩じりによる玩具の作動時間を長くすることができた。  
【００３０】
本実施例のような走行車両について、走行距離の更なる増大が要求される場合にも、ゴム紐を長くせず、車両の大きさ・長さを変えることなく、ゴム紐列を立体的に配置する等してゴム紐列を増やすことで容易に対応できる。  
【００３１】
以上述べたように本発明を利用すれば、作動時間が長い走行車両等の玩具を、簡単・容易にかつ安価に製作することができる。  
【００３２】
（実施例２）  本発明の実施の次なる形態について、同一長さを有す３本のゴム紐を動力源とする観覧車の玩具について図面を参照して説明する。観覧車の玩具の平面を図７で、正面を図８で示し、観覧車と回転体部分の側面を図９で示している。
【００３３】
実際の観覧車の回転は非常にゆっくりしており、玩具でもイメージ的にゆっくりとした回転にする必要がある。ゴム紐の捩じり自体による回転は極めて速く、観覧車の回転速度としては速すぎるから、小径のプ−リから大径のプ−リに回転を伝達させる減速機構で減速する方法が必要となる。この減速機構では、観覧車１回の回転には非常に多くのゴム紐の捩じりが消費されるから、ゴム紐の捩じり回数をできるだけ多くすることが要求される。ゴム紐を３本設け、ゴムの捩じり回数を多くしこの問題を解決している。  
【００３４】
図７において、４隅角部の支持脚４０ｂに支持された長方形の枠状の本体枠４０aに、本体枠の前側に第１横軸受材４１ａ，後側に第２横軸受材４１ｂが固定され、本体枠４０aの前側の枠部と上記第１横軸受材４１ａとにより、回転用ハンドル４２ａと第３プ−リ４３ｃの軸が支持されている。上記回転用ハンドル４２ａはクランク状をなし、本体枠４０aの前側の枠部に回転可能に支持されている。回転ハンドル４２aには、逆転防止具４２ｂと４２ｃが付いていて、図６ａと図６ｂに示すように、回転ハンドル４２ａはゴム紐を捩じる時計方向へは回すことができるが、その反対方向へはできないようになっている。逆転防止具４２ｂ及び４２ｃは基本的に逆転防止具３３及び３４と同じ構造で同じ機能を有している。
【００３５】
上記第２横軸受材４１ｂと本体枠４０aの後側の枠部により第１プ−リ４３ａと第２プ−リ４３ｂの軸が支持され、これらのプ−リより一段高い位置に第４プ−リ４４ａと回転体であるプ−リ４４ｂが有り、第４プ−リ４４ａの軸は、本体枠４０aの前側の枠部に固定された第１縦軸受材４６ａと、第１横軸受材４１ａに固定された第２縦軸受材４６ｂとにより、また回転体４４ｂの軸は第２横軸受材４１ｂに固定された第３縦軸受材４６ｃと本体枠４０aの後側枠部に固定された第４縦軸受材４６ｄにより支持されている。第１プ−リ４３ａ、第２プ−リ４３ｂ、第３プ−リ４３ｃ、第４プ−リ４４ａ及び回転体４４ｂの軸には、本体枠４０aの枠部との摩擦の減少をはかるため、球座４５が挿入・固定されている。  
【００３６】
回転ハンドル４２ａと第１プ−リ４３ａのフックには第１ゴム紐４９ａが、第２プ−リ４３ｂと第３プ−リ４３ｃのフックには第２ゴム紐４９ｂが、第４プ−リ４４ａと回転体４４ｂのフックには第３ゴム紐４９ｃが掛けられている。これらのゴム紐は市販のサイズナンバー１８の輪ゴムを２本繋げたものを、第１ゴム紐４９ａでは１２本、第２ゴム紐４９ｂでは９本、第３ゴム紐４９ｃでは６本、で構成されている。すなわち、第１ゴム紐４９ａ、第２ゴム紐４９ｂ及び第３ゴム紐４９ｃは長さが同じで太さが順に細くなっている。第１プ−リ４３ａと第２プ−リ４３ｂはタコ糸を個々に複数本掛けた第１ベルト４７aで、第３プ−リ４３ｃと第４プ−リ４４ａもタコ糸を個々に複数本掛けた第２ベルト４７ｂで接続されている。  
【００３７】
観覧車５０の軸は第１門型部材５１ａと第２門型部材５１ｂに支持され、その軸には回転体４４ｂより大きい直径の第５プ−リ５２が固定され、回転体４４ｂと第５プ−リ５２はタコ糸１本の第３ベルト５３で接続され、回転体４４ｂの回転が減速されるようになっている。
【００３８】
観覧車５０又は回転体４４ｂを止めておき、手動で回転ハンドル４２ａを時計方向に回し、第１ゴム紐４９ａ、第２ゴム紐４９ｂ及び第３ゴム紐４９ｃの全長に渡る２次瘤を発生させてから、観覧車５０又は回転体４４ｂの止めを外すと、最初に第３ゴム紐４９ｃの捩じりが戻り回転体４４ｂがまわされ、第３ベルト５３によって観覧車のプ−リ５２に伝達され観覧車が回り始める。第３ゴム紐４９ｃの捩じりが減ると、第２ゴム紐４９ｂの捩じりが戻り、第３ゴム紐４９ｃが再度捩じられる。第２ゴム紐４９ｂも第１ゴム紐４９ａの捩じりの戻りにより再度捩じられる。こうして3本のゴム紐の捩じりがほとんど無くなるまで観覧車は回転を続ける。
【００３９】
本実施例では、ゴム紐の総捩じり数は１列のほぼ３倍の１５０回に増え、回転体４４ｂの直径３０ｍｍに対し第５プ−リ５２を９０ｍｍとして減速させた結果、観覧車の回転は１５秒で５０回になり、ゴム紐が１本の場合に予想される約５秒で１０数回の回転に比べ、玩具としては十分な回転数を実現したが、観覧車の回転速度としては速すぎた。望ましい速度を1分間で５０回転とすると、プ−リの減速機構だけで達成するには、総捩じり回数を６００回、観覧車の第５プ−リ５２の直径を３６０ｍｍとしなければならず、いずれも玩具としての実現は難しい。このようにプ−リ等による減速機構だけで非常にゆっくりした回転速度を実現することは、捩じり数に限界があるゴム動力では極めて困難である。
【００４０】
望ましい回転速度にするため、本実施例では、プ−リによる減速機構に加えて、回転速度調整装置における円形版５４を回転体プ−リ４４ｂの軸に取り付け、回転体４４ｂの回転速度を直接減速する方法を採用した。上記円形版５４には、その外周面に外周面より狭く所定長さを有す帯５５の一端部が接着されていて、上記円形版５４の回転に伴う重力や遠心力によって上記帯５５が放りだされ回転が拘束され、回転体４４ｂの回転速度を緩やかにし、かつ、ほぼ一定の速度にするものである。
【００４１】
本発明による捩じり回数の増大と上記回転速度調整装置の組み合わせにより、本実施例の観覧車は１分間で５０回の望ましい回転を実現した。
【産業上の利用可能性】
【００４２】
回転体を有す例えば自動車、風車、観覧車等の模型や玩具において、ゴム紐を動力源とした場合、回転体の作動時間を長くすることが難しく、魅力に乏しかったため、ゴム紐を動力源とする玩具はあまり多くない。本発明によって、安価、かつ、容易に作動時間の長い玩具が製作できるようになり、今後、従来にない様々な玩具が期待できる。
【符号の説明】
【００４３】
１：第１ゴム紐：
２：第２ゴム紐
３：回転ハンドル
４：第１プ−リ
５：第２プ−リ
６：回転体
７：軸受材
８：球座
９：第１プ−リと第２プ−リを繋ぐベルト
１０：中間ゴム紐
１１：中間ゴム紐の一端部のプ−リ
１２：中間ゴム紐の他端部のプ−リ
１３：第１プ−リと中間ゴム紐の一端部のプ−リを繋ぐベルト
１４：中間ゴム紐の他端部のプ−リと第２プ−リを繋ぐベルト
Ａ：走行車両玩具の第１区画
Ｂ：走行車両玩具の第２区画
Ｃ：走行車両玩具の第３区画
２１：走行車両玩具の本体枠
２２ａ：走行車両玩具の第１仕切り材
２２ｂ：走行車両玩具の第２仕切り材
２３：走行車両玩具の一方側の軸受材
２４：走行車両玩具の他方側の軸受材
２５：走行車両玩具の一方側の後輪
２６：走行車両玩具の他方側の後輪
２７：走行車両玩具の前輪
２８ａ：走行車両玩具の第１プ−リ
２８ｂ：走行車両玩具の第２プ−リ
２９：走行車両玩具のベルト
３０ａ：走行車両玩具の第１ゴム紐
３０ｂ：走行車両玩具の第２ゴム紐
３１：走行車両玩具の球座
３２：走行車両玩具の回転ハンドル
３３：走行車両玩具の逆転防止具の細板
３４：走行車両玩具の逆転防止具の突起
４０ａ：観覧車玩具の本体枠
４０ｂ：観覧車玩具の本体枠の支持脚
４１ａ：観覧車玩具の第１横軸受材
４１ｂ：観覧車玩具の第２横軸受材
４２ａ：観覧車玩具の回転ハンドル
４２ｂ：観覧車玩具の逆転防止具の細板
４２ｃ：観覧車玩具の逆転防止具の突起
４３ａ：観覧車玩具の第１プ−リ
４３ｂ：観覧車玩具の第２プ−リ
４３ｃ：観覧車玩具の第３プ−リ
４４ａ：観覧車玩具の第４プ−リ
４４ｂ：観覧車玩具の回転体プ−リ
４５：観覧車玩具の球座
４６ａ：観覧車玩具の第１縦軸受材
４６ｂ：観覧車玩具の第２縦軸受材
４６ｃ：観覧車玩具の第３縦軸受材
４６ｄ：観覧車玩具の第４縦軸受材
４７ａ：観覧車玩具の第１ベルト
４７ｂ：観覧車玩具の第２ベルト
４９ａ：観覧車玩具の第１ゴム紐
４９ｂ：観覧車玩具の第２ゴム紐
４９ｃ：観覧車玩具の第３ゴム紐
５０：観覧車玩具の観覧車
５１ａ：観覧車玩具の第１門型部材
５１ｂ：観覧車玩具の第２門型部材
５２：観覧車の軸に固定されている第５プ−リ
５３：観覧車玩具の第３ベルト
５４：観覧車玩具の帯付き円形版
５５：観覧車玩具の帯付き円形版の帯
【図１】
2017064001.tif 000003
【図２】
2017064001.tif 000004
【図３】
2017064001.tif 000005
【図４】
2017064001.tif 000006
【図５】
2017064001.tif 000007
【図６】
2017064001.tif 000008
【図７】
2017064001.tif 000009
【図８】
2017064001.tif 000010
【図９】
2017064001.tif 000011